(57)【要約】【課題】  複数映像を同一画面上に表示させる映像制御装置において、映像ジャンル等の異なる種別の映像を表示した場合でも、互いの映像が過度に影響し合うことを低減させ、視聴者が感じる妨害感を低減させる。【解決手段】  入力した複数の映像ソースの属性に係る映像情報の組み合わせにもとづいて、各映像のそれぞれの画質を決定し、各映像の画質が、それぞれ決定された画質となるように、映像データを変換して映像表示部に出力する。【選択図】  図１
2008141656.tif 000002
【特許請求の範囲】
【請求項１】
複数の映像ソースに係る複数の映像データを入力し、前記複数の映像データにもとづいた複数の映像を同一画面上に表示させる映像制御装置であって、
前記複数の映像ソースの属性に係る映像情報の組み合わせにもとづいて、前記複数の映像のそれぞれの画質を決定する画質決定部と、
前記画質決定部で決定された画質の映像となるように、前記複数の映像データを変換して出力する映像処理部とを有することを特徴とする映像制御装置。
【請求項２】
前記同一画面上に表示された前記複数の映像に対して、メイン映像とサブ映像とを割り当てるための視聴優先度を決定する視聴優先度決定部を有し、
前記画質決定部は、前記視聴優先度にもとづき前記複数の映像のそれぞれの画質を決定することを特徴とする請求項１記載の映像制御装置。
【請求項３】
前記画質決定部は、前記メイン映像と前記サブ映像の前記同一画面上でのそれぞれの表示面積にもとづいて、前記複数の映像のそれぞれの画質を決定することを特徴とする請求項２記載の映像制御装置。
【請求項４】
前記複数の映像ソースはデジタルテレビ放送によって送信された複数の放送番組であって、前記映像情報は前記放送番組の番組ジャンル情報である請求項１記載の映像制御装置。
【請求項５】
前記画質は、前記映像の輝度及びコントラストの少なくともいずれかである請求項１記載の映像制御装置。
【請求項６】
前記複数の映像データに多重化された複数の音声データを入力して、選択的に音声出力する音声制御部を有し、前記視聴優先度は前記音声制御部での選択結果に基いて決定されることを特徴とする請求項２記載の映像制御装置。
【請求項７】
複数の映像ソースに係る複数映像データを入力し、前記複数の映像データにもとづいた複数の映像を同一画面上に表示させる映像制御方法であって、
前記複数の映像ソースの属性に係る映像情報の組み合わせにもとづいて、前記複数の映像のそれぞれの画質を決定する画質決定ステップと、
前記画質決定ステップで決定された画質の映像となるように、前記複数の映像データを変換する映像処理ステップとを有することを特徴とする映像制御方法。
【発明の詳細な説明】
【技術分野】
【０００１】
本発明は、同一画面上に複数の映像を表示させる映像制御装置及びその方法に関し、詳しくは、映像情報に応じてそれぞれの映像の画質を決定して表示させる映像制御装置及びその方法に関する。
【背景技術】
【０００２】
従来より、複数のテレビ番組の複数の映像を同一画面上で表示するテレビジョン受像機が知られている。また、視聴者の好みを反映した画質に表示映像の画質を自動調整する画質制御装置が知られている。
【０００３】
下記特許文献１には、視聴者が視聴する番組の種別（受信中の番組名、番組のジャンル、放送チャンネル及び放送時間帯）に応じて視聴者所望の画質設定状態に画質を自動的に復元する画質制御装置が開示されている。また、下記特許文献２には、複数の小画面が同一画面上に同時に表示されるような表示装置において、各小画面毎に独立に最適な画像制御を自動的に行うことができるテレビジョン受像機が開示されている。
【特許文献１】特開２００２−１５８９４１号公報
【特許文献２】特開平０７−００７６８５号公報
【発明の開示】
【発明が解決しようとする課題】
【０００４】
従来の映像制御装置では、同一画面上に表示される映像に対して、それぞれ独立に画質調整がなされていたために以下のような問題があった。
【０００５】
同一画面上で表示される映像の種別によっては、互いの映像が影響し合い視聴者にとっては見ずらく感じられる場合があった。例えばメイン映像として映画系ジャンル、サブ映像としてスポーツ系ジャンルの映像を表示した場合では、以下のような問題があった。一般的には映画系ジャンルは低輝度、スポーツ系ジャンルは高輝度で画質調整されるため、メイン映像とサブ映像の明るさの差異が大きく表示される。その結果、サブ映像の表示がメイン映像に過度に影響し、メイン映像を主として視聴しているユーザにちらつき等の妨害感を生じさせていた。
【０００６】
本発明の目的は、上述の課題を解決し、同一の表示画面上で異なる種別の映像を表示した場合でも、ユーザにとってより好適な視聴環境となる画質に自動調整する映像制御装置を提供することを目的とする。
【課題を解決するための手段】
【０００７】
本発明の映像制御装置は、複数の映像ソースに係る複数の映像データを入力し、前記複数の映像データにもとづいた複数の映像を同一画面上に表示させる映像制御装置であって、
前記複数の映像ソースの属性に係る映像情報の組み合わせにもとづいて、前記映像のそれぞれの画質を決定する画質決定部と、
前記画質決定部で決定された画質の映像となるように、前記映像データを変換して出力する映像処理部とを有することを特徴とする。
【０００８】
また、本発明の映像制御方法は、複数の映像ソースに係る複数の映像データを入力し、前記複数の映像データにもとづいた複数の映像を同一画面上に表示させる映像制御方法であって、
前記複数の映像ソースの属性に係る映像情報の組み合わせにもとづいて、前記映像のそれぞれの画質を決定する画質決定ステップと、
前記画質決定ステップで決定された画質の映像となるように、前記映像データを変換する映像処理ステップとを有することを特徴とする。
【発明の効果】
【０００９】
本発明によれば、映像ジャンル等の異なる種別の映像を同一画面上に表示した場合でも、互いの映像が過度に影響し合うことが低減されるので、視聴者が感じる妨害感を低減することができる。
【発明を実施するための最良の形態】
【００１０】
以下、本発明の実施の形態について説明する。
【実施例１】
【００１１】
図１は、本発明の実施例１における映像制御装置１００の構成を示すブロック図である。
【００１２】
（映像制御装置のテレビ基本機能について）
アンテナ１５１を介してデジタル放送信号が受信され、ユーザによるリモコン１５２の操作により選択したチャンネルで放送される映像や、番組情報等が映像表示部１１１で表示される。受信した複数チャンネルの番組が複数の映像ソースに対応し、また番組情報が映像ソースの属性に係る映像情報に相当する。
【００１３】
映像制御装置１００は、２つのテレビ放送受信チューナモジュール（チューナＡ１０１、チューナＢ１０２）を有し、受信した放送番組映像を２つ同時に映像表示部１１１に表示することができる。また音声は、スピーカ出力部１１２やヘッドフォン出力部１１３から出力される。
【００１４】
図２は、本発明の映像制御装置１００によって映像表示部１１１の表示画面上に２つの映像を表示した場合の表示例である。表示画面２０１上には、ユーザが主として視聴しているメイン映像２０２とユーザが主として視聴していないサブ映像２０３とが互いに重ならないように表示位置及び表示サイズが制御されて表示される。
【００１５】
アンテナ１５１により受信した放送信号は、受信・分配部１０１によって分配され、チューナＡ１０２、チューナＢ１０３に入力される。チューナＡ１０２、チューナＢ１０３は、入力された信号に対し、復調、誤り訂正等の処理を行ない、トランスポートストリーム（ＴＳ）を形成し、データ分離部１０４に出力する。ＴＳには、複数のチャンネルに関わる映像、音声、番組情報データが時分割多重されている。
【００１６】
データ分離部１０４は、受光部１２０で受信したユーザのリモコン１５２操作による操作情報に基づき、ＴＳからユーザ所望のチャンネルに関わる映像、音声、番組情報データの分離を行なう。番組情報には、番組名称、放送チャンネル、番組メディア識別情報、放送時間情報、番組ジャンル情報等の番組の属性情報が含まれる。番組メディア識別情報とは、映像と音声データがメインの「テレビ放送」であるのか、音声データがメインの「ラジオ放送」であるのか、文字・図形データがメインの「データ放送」であるのかを識別する為の情報である。
【００１７】
データ分離部１０４で分離した映像データは、映像デコード部１０５で、ＭＰＥＧ等の復号化処理を行なった後、映像処理部１０７に入力される。更に番組情報データは、システムバス１２１を介し、システム制御部１１４に入力される。
【００１８】
映像処理部１０７は、システム制御部１１４内の画質調整パラメータ決定部１１６が決定する画質調整パラメータ情報に基づき、映像の画質、例えば輝度、コントラスト等が所望の値となるように映像データを変換する。画質調整パラメータ決定部１１６における画質調整パラメータの決定動作については、後述する。
【００１９】
表示合成部１０８は、複数の映像データにもとづく映像を、表示位置やサイズを変更して、１画面に合成する。尚、映像の表示位置やサイズは、ユーザのリモコン１５２操作による操作情報に基づき、システム制御部１１４内の映像調整部１１８によって決定する。
【００２０】
表示制御部１０９は、表示合成部１０８からの映像データを映像表示部１１１の表示解像度、表示色数、リフレッシュレートに適合した表示データに変換し、映像表示部へ出力する。
【００２１】
音声データは、音声デコード部１０６で復号化処理が行われ、音声制御部１１０を介して、スピーカ出力部１１２やヘッドフォン出力部１１３に送られ音声として出力される。
【００２２】
音声制御部１１０は、複数の音声データの出力先やボリュームレベル等を変更する。尚、音声データの出力先やボリュームレベルは、ユーザのリモコン１５２操作により、システム制御部１１４内の音声調整部１１９によって決定される。
【００２３】
（画質調整パラメータの決定動作について）
次に、本発明の特徴である画質調整パラメータの決定動作について説明する。
【００２４】
画質調整パラメータ決定部１１６は、映像表示部１１１で表示する映像に係る番組ジャンル情報に基づき、輝度、コントラスト等の画質調整パラメータを決定する。複数映像を同一画面上に表示する際に、各映像に係る番組ジャンル情報の組み合わせに基づいて、輝度、コントラスト等の画質調整パラメータを決定するものである。以下では、映像表示部１１１で２つの映像を表示する場合について、詳細に説明する。
【００２５】
システム制御部１１４の番組情報解析部１１５は、データ分離部１０４から入力した番組情報データから番組名称、番組メディア識別情報、放送時間情報、番組ジャンル情報等の番組情報を抽出する。抽出した番組ジャンル情報は、画質調整パラメータ決定部１１６に入力される。映像表示部１１１では２つの映像が表示されるので、各々の映像に係る２つの番組ジャンル情報が入力される。
【００２６】
画質調整パラメータ決定部１１６は、まず番組情報解析部１１５が抽出した番組ジャンル情報より番組ジャンルを判定する。番組ジャンルは、「映画」、「ドラマ」、「スポーツ」、「バラエティ」等である。
【００２７】
システム制御部１１４の視聴優先度判定部１１７は、映像表示部１１１で表示される複数の映像のうち、ユーザがどの映像をメイン映像として視聴しているかを示す視聴優先度を判定する。判定方法としては、スピーカ出力部１１２から音声出力されている番組の映像をメイン映像、他方をサブ映像とすることができる。メイン映像及びサブ映像は、ユーザのリモコン１５２操作によって選択される。視聴優先度の判定結果は、画質調整パラメータ決定部１１６に送られる。
【００２８】
画質調整パラメータ決定部１１６には、図３、図４に示される番組ジャンル毎に画質調整パラメータ（最大輝度、最大コントラスト）を割り当てたパラメータテーブルが予め格納されている。図３は、映像表示部１１１に１つの映像を表示する場合、図４は、映像表示部１１１に２つの映像を表示する場合のパラメータテーブルである。
【００２９】
例えば、映像表示部１１１に１つの映像を表示する場合であって、映像の番組ジャンルが映画であれば、図３のテーブルのｉｎｄｅｘ１を参照し、映像の最大輝度、コントラストが其々、２５０（ｃｄ／ｍ２）、４００：１となるよう映像処理部１０７で画質調整される。
【００３０】
映像表示部１１１に２つの映像を表示する場合には、以下のようにパラメータテーブルが設定される。即ち、異なる番組ジャンルの組み合わせに対しては、メイン映像とサブ映像とが各々１つの映像として画面全体に表示された場合の画質調整パラメータに比べて、メイン映像とサブ映像での画質調整パラメータの差異が、小さくなるように設定される。但し、１画面表示時に比べて、２画面表示時に画質調整パラメータを強めることは視聴環境上、好ましくない。
【００３１】
従って、１つの番組ジャンルの映像に対して、２画面のサブ映像表示された時は、１画面表示された時に比べて、画質調整パラメータを弱めることによって、メイン映像とサブ映像との画質調整パラメータの差異を小さくすることができる。以下、図４を参照して、メイン映像に映画、サブ映像にスポーツの番組ジャンルを有する映像を表示する場合を説明する。
【００３２】
画質調整パラメータ決定部１１６は、まずパラメータテーブルのｉｎｄｅｘ１０を参照し、メイン映像の、最大輝度、コントラストを其々、２５０（ｃｄ／ｍ２）、４００：１と決定する。次に画質調整パラメータ決定部１１６は、ｉｎｄｅｘ１３を参照し、サブ映像の最大輝度、コントラストを其々、３００（ｃｄ／ｍ２）、５９０：１と決定する。（映像の画質調整について）
映像処理部１０７は、画質調整パラメータ決定部１１６が決定した画質調整パラメータに基づき、映像データの画質、例えば輝度、コントラスト等を調整する。
【００３３】
図５にメイン映像の番組ジャンルが映画で、サブ映像の番組ジャンルがスポーツである場合の輝度特性を示す。図５の（５Ａ）は、映像表示部１１１に番組ジャンルがスポーツの映像が１つのみ表示される場合の輝度特性を示す。（５Ｂ）は、メイン映像として番組ジャンルが映画の映像、サブ映像として番組ジャンルがスポーツの映像が表示される場合のサブ映像の輝度特性を示す。（５Ｃ）は、メイン映像として番組ジャンルが映画の映像、サブ映像として番組ジャンルがスポーツの映像が表示される場合のメイン映像の輝度特性を示す。尚、映像表示部１１１に番組ジャンルが映画の映像を１つのみ表示する場合も、（５Ｃ）で示す輝度特性となる。即ち、輝度特性（５Ａ）と輝度特性（５Ｂ）の差異は、２画面でのサブ映像表示時の方が１画面表示時よりも暗めに表示される事を意味する。その結果、２画面表示時に（５Ａ）の特性による調整を行なうことと比較し、メイン映像とサブ映像との輝度の差異を小さくする事が可能である。また、輝度同様、メイン映像とサブ映像とのコントラスト比の差異も小さくする事が可能である。このように２つの映像の画質を制御することにより、メイン映像とサブ映像の明るさの差異によって生じるちらつきは、緩和される。
【実施例２】
【００３４】
実施例２では、画質調整パラメータの決定動作において、メイン画像とサブ画像の画面上での表示面積比率に基づき、サブ映像の画質調整パラメータ（最大輝度、コントラスト）の値を可変させる。即ち、サブ映像の最大輝度、コントラストの値がメイン映像のそれらの値より大きくなる場合には、サブ映像とメイン映像の表示面積の比率をサブ映像の最大輝度、コントラストの値に乗じる。表示面積の比率は、映像調整部１１８から映像データ毎のサイズ情報を取得し、算出する。
【００３５】
図６に、サブ映像の表示面積がメイン映像の表示面積より小さく、表示比率が０．８の場合の２画面表示のパラメータテーブルを示す。例えば、メイン画像の番組ジャンルがドラマで、サブ映像の番組ジャンルがスポーツの場合には、ｉｎｄｅｘ２３が選択される。このときサブ映像の最大輝度は、図３で示される１画面表示時の最大輝度４３０（ｃｄ／ｍ２）に０．８を乗じた３４４（ｃｄ／ｍ２）が設定される。
【００３６】
本実施例によっても、メイン映像とサブ映像との輝度、コントラストの差異が小さくなるので、ちらつき感が緩和される。
【実施例３】
【００３７】
実施例３では、画質調整パラメータの決定動作において、番組ジャンル情報に加え、番組メディア識別情報を用いる。
【００３８】
図１で示されるシステム制御部１１４の画質調整パラメータ決定部１１６は、番組情報解析部１１５が抽出した番組ジャンル情報と番組メディア識別情報に基づき、番組ジャンル情報の種別を判定する。
【００３９】
番組メディア識別情報が「テレビ放送」の場合は、実施例１と同様の判定を行なう。
【００４０】
番組メディア識別情報が「データ放送」の場合は、番組情報解析部１１５が抽出した番組ジャンル情報に関わらず、「データ放送」という新たな番組ジャンル情報を生成し、それを判定結果とする。
【００４１】
また番組メディア識別情報が「ラジオ放送」の場合は、「ジャンル情報無し」という番組ジャンル情報を生成し、それを判定結果とする。
【００４２】
画質調整パラメータ決定部１１６は、番組ジャンル情報の組み合わせに基づいて決定された画質調整パラメータを、図７で示されるパラメータテーブルに格納する。
【実施例４】
【００４３】
図８は、本発明の実施例４における映像処理装置９００の構成を示すブロック図である。図１と同じ符番のブロックは、同じ機能を有する。
【００４４】
映像処理装置９００は、テレビ放送の受信以外に、ゲーム機やビデオ機器等の外部接続機器や、インターネットを介したビデオオンデマンドサービス（ＶＯＤ）サーバからの映像・音声入力機能を有する。即ち、映像ソースは、テレビ放送番組、外部接続機器及びインターネットサーバである。
【００４５】
映像・音声入力部Ａ９２２、映像・音声入力部Ｂ９２３は、２つの外部接続機器Ａ９５３、外部接続機器Ｂ９５４とのデータ入力制御部である。入力した映像データは、映像処理部９０７、表示合成部１０８を介して映像表示部１１１に送られ、映像が表示される。尚、本実施例において、映像・音声入力部Ｂ９２３は、ゲーム機を接続することを想定したデータ入力制御部としている。インターネット接続制御部９５５は、インターネット９５５上に存在する不図示のビデオオンデマンドサービス（ＶＯＤサービス）サーバからの映像データや音声データ、ビデオ情報データを受信する。
【００４６】
ユーザのリモコン９５２操作により、受信したテレビ放送のチャンネル選択や、外部接続機器Ａ９５３、外部接続機器Ｂ９５４、ＶＯＤサービスで提供されるビデオコンテンツの選択が行われる。
【００４７】
番組情報解析部１１５は、番組データからの番組情報以外に、インターネット接続制御部９２４から入力したビデオ情報データからビデオ名称、ビデオデータ配信元ＵＲＬ（Ｕｎｉｆｏｒｍ  Ｒｅｓｏｕｒｃｅ  Ｌｏｃａｔｏｒ）、ビデオ利用可能時間情報、ビデオジャンル情報等を抽出する。抽出したビデオジャンル情報は、画質調整パラメータ決定部１１６に出力する。
【００４８】
尚、番組ジャンル情報とビデオジャンル情報とを合わせて映像ジャンル情報と呼ぶ。
【００４９】
画質調整パラメータ決定部１１６は、テレビ放送番組の番組ジャンル情報、ＶＯＤサービスのビデオコンテンツに関するビデオジャンル情報、さらには映像・音声入力部Ａ９２２、映像・音声入力部Ｂ９２３の選択状態にもとづいて、各表示映像のジャンルを判別する。
【００５０】
テレビ放送番組やＶＯＤサービスのビデオコンテンツに関するジャンル情報に基づく、ジャンル情報の種別の判定は、実施例１〜３と同様の動作で行なう。
【００５１】
映像表示部１１１に映像・音声入力部Ａ９２２からの映像表示を行なう場合、「ジャンル情報無し」というジャンル情報を生成し、それを判定結果とする。
【００５２】
映像表示部１１１に映像・音声入力部Ｂ９２３からの映像表示を行なう場合、「ゲーム」というジャンル情報を生成し、それを判定結果とする。
【００５３】
画質調整パラメータ決定部１１６は、番組ジャンル情報の組み合わせに基づいて決定された画質調整パラメータを、図９で示されたパラメータテーブルに格納する。図７のテーブルと異なるのは、ｉｎｄｅｘ１７、ｉｎｄｅｘ２７、・・・、ｉｎｄｅｘ６７で示す「ゲーム」というジャンルを追加した点である。画質調整パラメータ決定部１１６が、図９のテーブルに記述するジャンル情報の組み合わせに基づき、映像毎の画質調整パラメータを決定する動作については、上記実施例４と同様である。
【００５４】
（他の実施例）
上記実施例では、画質調整の種別として、輝度、コントラストを例に挙げたが、彩度、色温度等を加えて処理する構成としてもよい。
【００５５】
上記実施例では、映像データの入力元としてアンテナを介し受信するテレビ放送を例に挙げたが、ケーブルテレビ放送を受信し表示する場合にも適用できる。
【００５６】
上記実施例では、映像表示部に２つの映像を表示する例を挙げたが、テレビ放送や外部接続機器、ＶＯＤ等、映像・音声入力元を問わず、３映像以上を表示する場合にも適用できる。
【００５７】
上記実施例では、番組ジャンル情報の組み合わせに基づき、映像毎の画質調整パラメータを決定する例を中心に説明を行なったが、本発明の実施形態は、ジャンル情報に限定されない。例えば、図４や図６、図７で示したパラメータテーブルを拡張することもできる。即ち、番組情報データに含まれる番組名称や放送チャンネル、ビデオ情報データに含まれるビデオ名称、ビデオデータ配信元ＵＲＬの組み合わせに基づき、画質調整パラメータを決定することもできる。
【図面の簡単な説明】
【００５８】
【図１】本発明の映像制御装置の構成を示すブロック図である。
【図２】本発明の映像表示部の表示画面上に２つの映像を表示した場合の表示例を示す模式図である。
【図３】本発明の１つの映像を表示する場合のパラメータテーブル例を示す表である。
【図４】本発明の、２つの映像を表示する場合のパラメータテーブル例を示す表である。
【図５】本発明の輝度特性を示すグラフである。
【図６】本発明の２つの映像を表示する場合の別のパラメータテーブル例を示す表である。
【図７】本発明の２つの映像を表示する場合の別のパラメータテーブル例を示す表である。
【図８】本発明の別の映像制御装置の構成を示すブロック図である。
【図９】本発明の２つの映像を表示する場合の別のパラメータテーブル例を示す表である。
【符号の説明】
【００５９】
１００  映像表示装置
１０１  受信・分配部
１０２  チューナＡ
１０３  チューナＢ
１０４  データ分離部
１０５  映像デコード部
１０６  音声デコード部
１０７  映像処理部
１０８  表示合成部
１０９  表示制御部
１１０  音声制御部
１１１  映像表示部
１１２  スピーカ出力部
１１３  ヘッドフォン出力部
１１４  システム制御部
１１５  番組情報解析部
１１６  画質調整パラメータ決定部
１１７  視聴優先度決定部
１１８  映像調整部
１１９  音声調整部
１２０  受光部
１２１  システムバス
１５２  リモコン
９００  映像表示装置
９２２  映像・音声入力部Ａ
９２３  映像・音声入力部Ｂ
９２４  インターネット接続制御部
９５３  外部接続機器Ａ
９５４  外部接続機器Ｂ
９５５  インターネット
【図１】
2008141656.tif 000003
【図２】
2008141656.tif 000004
【図３】
2008141656.tif 000005
【図４】
2008141656.tif 000006
【図５】
2008141656.tif 000007
【図６】
2008141656.tif 000008
【図７】
2008141656.tif 000009
【図８】
2008141656.tif 000010
【図９】
2008141656.tif 000011